(57)【要約】【課題】割安な深夜電力を利用可能にして電力コストの低減を図ることができる温調装置を提供する。【解決手段】ヒートポンプ１６の冷媒により加熱または冷却の少なくとも一方が行われる水（熱媒体）を貯留する貯留容器１１を、建物１の１階床下の基礎内空間の床下面１０に設置すると共に、２階の床板７ａ，７ｂと１階の天井板６ａ，６ｂとの間の空間、および床下面１０にそれぞれ熱交換器８ａ，８ｂ、１２ａ，１２ｂを設置し、貯留容器１１内の加熱または冷却された水（熱媒体）を、各循環パイプ１４ａ，１４ｂと循環パイプ１３により各熱交換器８ａ，８ｂ、１２ａ，１２ｂへ供給させる。【選択図】図１
2008267613.tif 000002
【特許請求の範囲】
【請求項１】
熱源により加熱または冷却の少なくとも一方が行われる熱媒体を貯留する貯留容器を、建物の最下階床下の基礎内空間に設置すると共に、建物の少なくとも上階床と下階天井との間の空間に熱交換器を設置し、
前記貯留容器内の加熱または冷却された前記熱媒体または該熱媒体の熱を、熱搬送手段により前記熱交換器へ供給させる、
ことを特徴とする温調装置。
【請求項２】
前記熱搬送手段は、前記貯留容器と前記熱交換器との間で前記熱媒体を循環搬送させる循環パイプである、
ことを特徴とする請求項１に記載の温調装置。
【請求項３】
前記熱搬送手段は、ヒートパイプである、
ことを特徴とする請求項１に記載の温調装置。
【請求項４】
前記熱源は、ヒートポンプである、
ことを特徴とする請求項１に記載の温調装置。
【発明の詳細な説明】
【技術分野】
【０００１】
本発明は、建物の室内冷暖房を行う温調装置に関する。
【背景技術】
【０００２】
従来より、建物の床下空間（例えば、２階（上階）の床下と１階（下階）の天井との間の空間）に放熱器（熱交換器）を設置し、この放熱器に屋外に設置したボイラから温水を循環させて床下空間を加熱して、室内を床面からの輻射熱によって暖房する構成の温調装置が知られている（例えば、特許文献１参照）。
【特許文献１】特開２００２−６１８５４号公報
【発明の開示】
【発明が解決しようとする課題】
【０００３】
ところで、前記特許文献１のような温調装置（床下暖房装置）では、暖房時にボイラを常に運転して温水を得る必要があるので、割安な深夜電力を利用できず、暖房運転の電力コストが高いものとなってしまう。
【０００４】
そこで、本発明は、割安な深夜電力を利用可能にして電力コストの低減を図ることができる温調装置を提供することを目的とする。
【課題を解決するための手段】
【０００５】
前記目的を達成するために請求項１に係る本発明の温調装置は、熱源により加熱または冷却の少なくとも一方が行われる熱媒体を貯留する貯留容器を、建物の最下階床下の基礎内空間に設置すると共に、建物の少なくとも上階床と下階天井との間の空間に熱交換器を設置し、前記貯留容器内の加熱または冷却された前記熱媒体または該熱媒体の熱を、熱搬送手段により前記熱交換器へ供給させることを特徴としている。
【０００６】
また、請求項２に係る発明は、前記熱搬送手段が、前記貯留容器と前記熱交換器との間で前記熱媒体を循環搬送させる循環パイプであることを特徴としている。
【０００７】
また、請求項３に係る発明は、前記熱搬送手段がヒートパイプであることを特徴としている。
【０００８】
また、請求項４に係る発明は、前記熱源がヒートポンプであることを特徴としている。
【発明の効果】
【０００９】
本発明に係る温調装置によれば、熱源により加熱または冷却される熱媒体を貯留する貯留容器を有しているので、割安な深夜電力を利用して深夜時間帯に熱源により加熱または冷却された熱媒体を貯留タンク内に貯留しておくことが可能となるので、暖房時または冷房時の電力コストを低減することが可能となる。
【発明を実施するための最良の形態】
【００１０】
以下、本発明を図示の実施形態に基づいて説明する。
〈実施形態１〉
図１は、本発明の実施形態１に係る温調装置を備えた建物を示す概略断面図である。
【００１１】
図１に示すように、この建物１は、地盤２に設置した複数の建物基礎３上に形成された１階の各部屋４ａ，４ｂと２階の各部屋５ａ，５ｂを備えている。１階の各部屋４ａ，４ｂの天井板６ａ，６ｂと２階の各部屋５ａ，５ｂの床板７ａ，７ｂとの間の空間には、２階用の各熱交換器８ａ，８ｂがそれぞれ設置されている。
【００１２】
１階の各部屋４ａ，４ｂの床板９ａ，９ｂの下方に位置する基礎内空間の床下面１０には、熱媒体としての水が貯留されている貯留容器１１と１階用の各熱交換器１２ａ，１２ｂとが設置されており、貯留容器１１と各熱交換器１２ａ，１２ｂは、熱搬送手段としての循環パイプ１３（放熱パネル１２ａ側の循環パイプは不図示）で接続されている。また、２階用の各熱交換器パネル８ａ，８ｂと貯留容器１１との間も、熱搬送手段としての各循環パイプ１４ａ，１４ｂを介して接続されている。
【００１３】
各循環パイプ１３、１４ａ，１４ｂには、ポンプ１５ａ，１５ｂ，１５ｃがそれぞれ設置されている。なお、各循環パイプ１３、１４ａ，１４ｂは、それぞれ往路パイプと復路パイプの２本のパイプによって構成されている。
【００１４】
貯留容器１１内には、熱源としての周知のヒートポンプ１６に接続された冷媒循環パイプ１７の先端側が配置されている。
【００１５】
ヒートポンプ１６は、暖房時には冷媒を圧縮して冷媒の温度を上昇させ、高温の冷媒が冷媒循環パイプ１７内で循環される。この際、冷媒循環パイプ１７の先端側が貯留容器１１内に位置しているので、冷媒循環パイプ１７内を循環する高温の冷媒により、貯留容器１１内に貯留されている水が加熱され、温水が生成される。
【００１６】
また、ヒートポンプ１６は、冷房時には冷媒を膨張させて冷媒の温度を低下させ、低温の冷媒が冷媒循環パイプ１７内で循環される。この際、冷媒循環パイプ１７の先端側が貯留容器１１内に位置しているので、冷媒循環パイプ１７内を循環する低温の冷媒により、貯留容器１１内に貯留されている水が冷却され、冷水が生成される。
【００１７】
本実施形態に係る温調装置は、前記した各熱交換器８ａ，８ｂ、１２ａ，１２ｂ、貯留容器１１、循環パイプ１３、１４ａ，１４ｂ、ポンプ１５ａ，１５ｂ，１５ｃ、ヒートポンプ１６、および冷媒循環パイプ１７によって構成されている。
【００１８】
前記温調装置によって暖房運転を行う場合は、前記したようにヒートポンプ１６内で冷媒を圧縮して冷媒の温度を上昇させ、高温の冷媒を冷媒循環パイプ１７内で循環させることにより、貯留容器１１内に貯留されている水が加熱され、温水が生成される。そして、貯留タンク１１内の温水を、ポンプ１５ａ（熱交換器１２ａ側は不図示）の運転により循環パイプ１３（熱交換器１２ａ側は不図示）を通して１階用の各熱交換器１２ａ，１２ｂ内を循環させると共に、ポンプ１５ｂ，１５ｃの運転により各循環パイプ１４ａ，１４ｂを通して２階用の各熱交換器８ａ，８ｂ内を循環させる。このようにして、温水が各循環パイプ１３、１４ａ，１４ｂを通して、貯留タンク１１内と各熱交換器８ａ，８ｂ、１２ａ，１２ｂとの間で循環される。
【００１９】
温水が循環される１階用の各熱交換器１２ａ，１２ｂと２階用の各熱交換器８ａ，８ｂは、周囲の空気と熱交換して１階の床板９ａ，９ｂと２階の床板７ａ，７ｂをそれぞれ暖めることにより、１、２階の各部屋４ａ，４ｂ、５ａ，５ｂを輻射熱によって暖房することができる。
【００２０】
一方、前記温調装置によって冷房運転を行う場合は、前記したようにヒートポンプ１６内で冷媒を膨張させて冷媒の温度を低下させ、低温の冷媒を冷媒循環パイプ１７内で循環させることにより、貯留容器１１内に貯留されている水が冷却され、冷水が生成される。そして、貯留タンク１１内の冷水を、ポンプ１５ａ（熱交換器１２ａ側は不図示）の運転により循環パイプ１３（熱交換器１２ａ側は不図示）を通して１階用の各熱交換器１２ａ，１２ｂ内を循環させると共に、ポンプ１５ｂ，１５ｃの運転により各循環パイプ１４ａ，１４ｂを通して２階用の各熱交換器８ａ，８ｂ内を循環させる。
【００２１】
冷水が循環される１階用の各熱交換器１２ａ，１２ｂと２階用の各熱交換器８ａ，８ｂは、周囲の空気と熱交換して、１階の床板９ａ，９ｂと２階の床板７ａ，７ｂをそれぞれ冷やすことにより、１、２階の各部屋４ａ，４ｂ、５ａ，５ｂを輻射によって冷房することができる。
【００２２】
このように、本実施形態に係る温調装置によれば、割安な深夜電力を利用して深夜時間帯にヒートポンプ１６を運転し、貯留容器１１内の水を温水または冷水に生成して貯留しておくことが可能となるので、貯留容器１１内に貯留された温水または冷水を、暖房時または冷房時に各循環パイプ１３、１４ａ，１４ｂを通して各熱交換器８ａ，８ｂ、１２ａ，１２ｂにそれぞれ循環供給して室内の暖房または冷房を行うことにより、暖房時または冷房時の電力コストを低減することが可能となる。
【００２３】
更に、貯留容器１１を基礎内空間の床下面１０に設置したことにより、建物敷地内に貯留容器１１の設置スペースを確保する必要がない。
〈実施形態２〉
【００２４】
図２は、本発明の実施形態２に係る温調装置を備えた建物を示す概略断面図である。なお、図１に示した実施形態１と同一機能を有する部材には同一符号を付し、重複する説明は省略する。
【００２５】
本実施形態では、図２に示すように、建物１ａの１階の各部屋４ａ，４ｂの天井板６ａ，６ｂと２階の各部屋５ａ，５ｂの床板７ａ，７ｂとの間の空間に、２階用の各熱交換器８ａ，８ｂと、該熱交換器８ａ，８ｂにそれぞれ循環パイプ１８を介して接続された熱媒体としての水が貯留されている２階用の貯留容器１９を設置し、この貯留容器１９内と１階用の貯留容器１１内との間を周知のヒートパイプ２１で熱的に接続した構成である。各循環パイプ１８には、ポンプ２０がそれぞれ設置されている。なお、循環パイプ１８は、それぞれ往路パイプと復路パイプの２本のパイプによって構成されている。他の構成は前記実施形態１と同様である。
【００２６】
ヒートパイプ２１内には作動液が封入されており、この作動液によって貯留容器１１内に貯留されている温水の熱または冷水の冷熱を貯留タンク１９へ熱搬送することができる。
【００２７】
本実施形態に係る温調装置は、前記した各熱交換器８ａ，８ｂ、１２ａ，１２ｂ、貯留容器１１，１９、循環パイプ１３、１８、ポンプ１５、２０、ヒートポンプ１６、冷媒循環パイプ１７、およびヒートパイプ２１によって構成されている。
【００２８】
前記温調装置によって暖房運転を行う場合は、ヒートポンプ１６内で冷媒を圧縮して冷媒の温度を上昇させ、高温の冷媒を冷媒循環パイプ１７内で循環させることにより、貯留容器１１内に貯留されている水が加熱され、温水が生成される。そして、貯留タンク１１内の温水を、各ポンプ１５の運転により各循環パイプ１３を通して１階用の各熱交換器１２ａ，１２ｂ内を循環させる。
【００２９】
更に、ヒートパイプ２１内の作動液により貯留容器１１内に貯留されている温水の熱を２階用の貯留容器１９へ熱搬送して、貯留容器１９内に貯留されている水を加熱して温水を生成する。そして、貯留容器１９内の温水を、各ポンプ２０の運転により各循環パイプ１８を通して２階用の各熱交換器８ａ，８ｂ内に循環させる。
【００３０】
温水が循環される１階用の各熱交換器１２ａ，１２ｂと２階用の各熱交換器８ａ，８ｂは、周囲の空気と熱交換して、１階の床板９ａ，９ｂと２階の床板７ａ，７ｂをそれぞれ暖めることにより、１、２階の各部屋４ａ，４ｂ、５ａ，５ｂを輻射熱によって暖房することができる。
【００３１】
一方、前記温調装置によって冷房運転を行う場合は、ヒートポンプ１６内で冷媒を膨張させて冷媒の温度を低下させ、低温の冷媒を冷媒循環パイプ１７内で循環させることにより、貯留容器１１内に貯留されている水が冷却され、冷水が生成される。そして、貯留容器１１内の冷水を、各ポンプ１５の運転により各循環パイプ１３を通して１階用の各熱交換器１２ａ，１２ｂ内を循環させる。
【００３２】
更に、ヒートパイプ２１内の作動液によって貯留容器１１内に貯留されている冷水の冷熱を２階用の貯留容器１９へ熱搬送して、貯留容器１９内に貯留されている水を冷却して冷水を生成する。そして、貯留容器１９内の冷水を、各ポンプ２０の運転により各循環パイプ１８を通して２階用の各熱交換器８ａ，８ｂ内を循環させる。
【００３３】
冷水が循環される１階用の各熱交換器１２ａ，１２ｂと２階用の各熱交換器８ａ，８ｂは、周囲の空気と熱交換して、１階の床板９ａ，９ｂと２階の床板７ａ，７ｂをそれぞれ冷やすことにより、１、２階の各部屋４ａ，４ｂ、５ａ，５ｂを輻射によって冷房することができる。
【００３４】
このように、本実施形態に係る温調装置においても、前記した実施形態１と同様の効果を得ることができる。
【００３５】
なお、前記した各実施形態に係る温調装置が設置される建物としては、住宅を構成する居室等を箱型の複数の建物ユニットとして工場で作製し、これらの各建物ユニットを現場に輸送して組み立てるようにしたユニット式建物や、通常の戸建の建物、更には集合住宅などが挙げられる。
【図面の簡単な説明】
【００３６】
【図１】本発明の実施形態１に係る温調装置を備えた建物を示す概略断面図。
【図２】本発明の実施形態２に係る温調装置を備えた建物を示す概略断面図。
【符号の説明】
【００３７】
１、１ａ        建物
３        建物基礎
４ａ，４ｂ      １階の部屋
５ａ，５ｂ      ２階の部屋
６ａ，６ｂ      天井板
７ａ，７ｂ、９ａ，９ｂ      床板
８ａ，８ｂ、１２ａ，１２ｂ      熱交換器
１０      床下面
１１、１９      貯留容器
１６      ヒートポンプ
２１      ヒートパイプ
【図１】
2008267613.tif 000003
【図２】
2008267613.tif 000004